(57)【要約】【課題】取り付け片体、棚受け片体、突っ張り支持体、及び雑巾摺りを必要としないで美観を損なわず、簡単な形態で容易に取り付けられる安価な棚受け金具を提供する。【解決手段】建物内部側壁１１に平面視してＬ字型、又はコ字型形状からなるコーナー部１２を有し、コーナー部１２の壁面１３に棚板１８を固定する際に使用される棚受け金具１０であって、コーナー部１２の少なくとも２面の壁面１３に当接させて取付けるための少なくとも２辺の垂直辺部１４を有すると共に、垂直辺部１４の上、下端から、又は上、下間の途中から平行してそれぞれが水平方向に突出形成される上側水平辺部１５と下側水平辺部１６を有し、しかも、棚板１８の少なくとも２辺の側辺部が上側水平辺部１５と下側水平辺部１６で狭持される。【選択図】図１
0003119031.tif 000002
【実用新案登録請求の範囲】
【請求項１】
建物内部側壁に平面視してＬ字型、又はコ字型形状からなるコーナー部を有し、該コーナー部の壁面に棚板を固定する際に使用される棚受け金具であって、
前記コーナー部の少なくとも２面の前記壁面に当接させて取付けるための少なくとも２辺の垂直辺部を有すると共に、該垂直辺部の上、下端から、又は上、下間の途中から平行してそれぞれが水平方向に突出形成される上側水平辺部と下側水平辺部を有し、しかも、前記棚板の少なくとも２辺の側辺部が前記上側水平辺部と前記下側水平辺部で狭持されることを特徴とする棚受け金具。
【請求項２】
請求項１記載の棚受け金具において、前記垂直辺部の両端から突出形成される前記上側水平辺部と前記下側水平辺部の間の前記垂直辺部に、前記壁面に取り付けるための留め具取付用孔を有することを特徴とする棚受け金具。
【請求項３】
請求項１記載の棚受け金具において、前記垂直辺部の途中から突出形成される前記上側水平辺部と前記下側水平辺部の外側のそれぞれに延設された前記垂直辺部に、前記壁面に取り付けるための留め具取付用孔を有することを特徴とする棚受け金具。
【考案の詳細な説明】
【技術分野】
【０００１】
本考案は、棚板を取り付けるための棚受け金具に関し、より詳細には、住宅や、納屋等のコーナー部を有する建物内部の壁面に棚板を取り付けるために使用する棚受け金具に関する。
【背景技術】
【０００２】
図５（Ａ）、（Ｂ）、図６を参照しながら、従来の棚受け金具の一例を説明する。ここに、図５（Ａ）、（Ｂ）はそれぞれ従来の棚受け金具の正面図、側面図、図６は従来の棚受け金具を用いた棚板の取り付け状態の説明図である。図５（Ａ）、（Ｂ）に示すように、従来の棚受け金具５０は、金属板を略直角にＬ字形状に折り曲げて一方に棚受け片体５１と、他方に取り付け片体５２を設け、更に、直角部に突っ張り支持体５３を設けた形状に加工されたものが主流を占めている。そして、図６に示すように、この棚受け金具５０は、住宅や、納屋等の建物内部側壁５４の平らな壁面５５にＬ字形状の取り付け片体５２を垂直に棚受け片体５１側を上にして当接させて１又は複数本の釘やねじ等の留め具５６を用いて複数個を間隔を設けて取り付けている。この複数個の棚受け金具５０には、それぞれの棚受け片体５１の上面に棚板５７を水平にしてブリッジ状に橋渡しすると共に、１辺の端面を壁面５５に当接させるようにして載置させ、１又は複数本の釘やねじ等の留め具５６を用いてそれぞれに取り付けることで棚板５７を固定させている。更に、このようにして固定された棚板５７には、側壁５４の壁面５５との間に隙間が発生するので、この隙間を隠して見栄えをよくするために、断面視して、Ｌ字形状からなる雑巾摺り５８を接着剤等を用いて側壁５４の壁面５５と、棚板５７の角部を跨いで塞ぐようにして貼り付けている。
【０００３】
他の従来の棚受け金具には、取り付け片体の壁面への取り付けの際に直角部に設けられた突っ張り支持体が邪魔をして正常にねじ等で締め付けることができなくなるのを防止して容易に締め付けることができるようにするために、取り付け片体を壁面に取り付けた後に突っ張り支持体を直角部に取り付けることができるようにしたものが提案されている（例えば、特許文献１参照）。
また、他の従来の棚受け金具には、見栄えをよくするために、棚受け片体を棚板の内部に収納して取り付けるようにしたものが提案されている（例えば、特許文献２参照）。
更に、他の従来の棚受け金具には、棚板の水平レベルが調整できるようにするために、棚受け片体に調整ボルトを備えるようにしたものが提案されている（例えば、特許文献３参照）。
【０００４】
【特許文献１】特許第２７８７５６７号公報
【特許文献２】特開２００３−３３４１２３号公報
【特許文献３】特開２００４−１７３８７１号公報
【考案の開示】
【考案が解決しようとする課題】
【０００５】
しかしながら、前述したような従来の棚受け金具は、未だ解決すべき次のような問題がある。
（１）壁面に取り付けるための長い取り付け片体や、棚板を取り付けるための長い棚受け片体、及び棚板を支えるための突っ張り支持体が設けられている棚受け金具は、壁面に取り付けた時に棚受け金具のみが露出しているようになり、美観が損なわれるような形態となっている。
（２）棚板の端面と壁面との間の隙間を隠すために用いられる雑巾摺りは、美観対策だけのものであり、余分な費用と、余分な作業が発生し、棚作製のためのコストアップとなっている。
（３）特許第２７８７５６７号公報で開示される棚受け金具は、取り付けが複雑であるのと、部品の作製に費用がかかり、棚作製のためのコストアップとなっている。また、この棚受け金具は、棚受け金具自体のみが露出しているような形態であるので、美観が損なわれるような形態となっている。
（４）特開２００３−３３４１２３号公報で開示される棚受け金具は、棚受け片体が棚板内部に収納されて美観を向上させることができるものの、棚板を取り付けたるための長い棚受け片体が未だ露出しているような形態であるので、美観が損なわれるような形態が残った状態となっている。
（５）特開２００４−１７３８７１号公報で開示される棚受け金具は、雑巾摺りを必要としないものの、取り付け片体、棚受け片体、及び突っ張り支持体を露出しているような形態であるので、美観が損なわれるような形態となっている。また、この棚受け金具は、作製するのに複雑な加工が必要であり棚受け金具のコストアップとなっている。
【０００６】
本考案は、かかる事情に鑑みてなされたものであって、取り付け片体、棚受け片体、突っ張り支持体、及び雑巾摺りを必要としないで美観を損なわず、簡単な形態で容易に取り付けられる安価な棚受け金具を提供することを目的とする。
【課題を解決するための手段】
【０００７】
前記目的に沿う本考案に係る棚受け金具は、建物内部側壁に平面視してＬ字型、又はコ字型形状からなるコーナー部を有し、コーナー部の壁面に棚板を固定する際に使用される棚受け金具であって、コーナー部の少なくとも２面の壁面に当接させて取付けるための少なくとも２辺の垂直辺部を有すると共に、垂直辺部の上、下端から、又は上、下間の途中から平行してそれぞれが水平方向に突出形成される上側水平辺部と下側水平辺部を有し、しかも、棚板の少なくとも２辺の側辺部が上側水平辺部と下側水平辺部で狭持される。
【０００８】
ここで、棚受け金具は、垂直辺部の両端から突出形成される上側水平辺部と下側水平辺部の間の垂直辺部に、壁面に取り付けるための留め具取付用孔を有するのがよい。
【０００９】
あるいは、棚受け金具は、垂直辺部の途中から突出形成される上側水平辺部と下側水平辺部の外側のそれぞれに延設された垂直辺部に、壁面に取り付けるための留め具取付用孔を有するのがよい。
【考案の効果】
【００１０】
請求項１又はこれに従属する請求項２又は３のいずれか一項記載の棚受け金具は、建物内部側壁に平面視してＬ字型、又はコ字型形状からなるコーナー部を有し、コーナー部の壁面に棚板を固定する際に使用される棚受け金具であって、コーナー部の少なくとも２面の壁面に当接させて取付けるための少なくとも２辺の垂直辺部を有すると共に、垂直辺部の上、下端から、又は上、下間の途中から平行してそれぞれが水平方向に突出形成される上側水平辺部と下側水平辺部を有し、しかも、棚板の少なくとも２辺の側辺部が上側水平辺部と下側水平辺部で狭持されるので、棚受け金具が壁面に取り付けるための長い取り付け片体、棚板を取り付けるための長い棚受け片体、棚板を支えるための突っ張り支持体、及び、棚板と壁面の間の隙間隠しである雑巾摺りを必要とせず、外観上の美観を損なうことを防止することができる。また、コーナー部を利用して上側水平辺部と下側水平辺部で狭持して棚板を支えることができるので、充分な強度を有する棚を作製することができる。更に、棚受け金具が簡単な構造であるので、棚受け金具を安価にすることができると共に、簡単な形態で容易に取り付けられる構造であるので、安価な棚を提供することができる。
【００１１】
特に、請求項２記載の棚受け金具は、垂直辺部の両端から突出形成される上側水平辺部と下側水平辺部の間の垂直辺部に、壁面に取り付けるための留め具取付用孔を有するので、棚受け金具を容易に釘や、ねじ等の留め具で壁面に取り付けることができると共に、棚受け金具の上側水平辺部と下側水平辺部の間に棚板を取り付けることで棚受け金具を壁面に取り付けた釘や、ねじ等の留め具を棚板で隠すことができ、更に外観上の美観を向上させることができる。
【００１２】
また、特に、請求項３記載の棚受け金具は、垂直辺部の途中から突出形成される上側水平辺部と下側水平辺部の外側のそれぞれに延設された垂直辺部に、壁面に取り付けるための留め具取付用孔を有するので、棚受け金具を壁面に釘や、ねじ等の留め具で取り付けてからでは障害物によって棚受け金具の上側水平辺部と下側水平辺部の間に棚板を差込んで取り付けることが困難な場合に、棚受け金具の上側水平辺部と下側水平辺部の間に先に棚板を差込んで釘や、ねじ等の留め具で取り付けてから棚受け金具を所望の位置の壁面に容易に釘や、ねじ等の留め具で取り付けることができる。
【考案を実施するための最良の形態】
【００１３】
続いて、添付した図面を参照しつつ、本考案を具体化した実施するための最良の形態について説明し、本考案の理解に供する。
ここに、図１（Ａ）、（Ｂ）はそれぞれ本考案の一実施の形態に係る棚受け金具の平面図、Ａ−Ａ’線拡大縦断面図、図２は同棚受け金具を用いた棚板の取り付け状態の説明図、図３（Ａ）、（Ｂ）はそれぞれ同棚受け金具の変形例の平面図、Ｂ−Ｂ’線拡大縦断面図、図４は同棚受け金具の変形例を用いた棚板の取り付け状態の説明図である。
【００１４】
図１（Ａ）、（Ｂ）に示すように、本考案の一実施の形態に係る棚受け金具１０は、例えば、建物内部の側壁１１に平面視してＬ字型形状、又はコ字型形状からなるコーナー部１２（図１（Ａ）、（Ｂ）ではＬ字型形状で図示）を有し、このコーナー部１２の壁面１３に棚板１８（図２参照）を固定する際に使用されている。この棚受け金具１０は、全体が一定の断面形状で長手方向に連続した形状をなし、Ｌ字型形状のコーナー部１２の２面の壁面１３に当接させて取り付けるためのＬ字型に折り曲げられた２辺の垂直辺部１４を有している。あるいは、この棚受け金具１０は、全体が一定の断面形状で長手方向に連続した形状をなし、コ字型形状のコーナー部１２の少なくとも２面の壁面１３に当接させて取り付けるためのＬ字型に折り曲げられた２辺の垂直辺部１４、又はコ字型に折り曲げられた３辺の垂直辺部１４を有している。また、棚受け金具１０は、この垂直辺部１４と共に、垂直辺部１４の上、下端から平行してそれぞれが水平方向に連続して突出して形成される上側水平辺部１５と、下側水平辺部１６を有している。棚受け金具１０は、この上側水平辺部１５と、下側水平辺部１６によって、棚板１８の少なくとも２辺の側辺部が狭持できるようになっている。なお、棚受け金具１０は、作製されるための材料が特に限定されるものではないが、軽量で強度が高く、錆び難く、加工性に優れる、例えば、アルミニウムや、ステンレス、真鍮等の金属や、曲げ強度が高く、加工性に優れる、例えば、硬質プラスチック等のプラスチック等を用いることができる。
【００１５】
この棚受け金具１０には、垂直辺部１４の上、下の両端のそれぞれの端部から突出して形成される上側水平辺部１５と、下側水平辺部１６の間の垂直辺部１４に、側壁１１の壁面１３に釘やねじ等の留め具１９（図２参照）で取り付けるための複数個の留め具取付用孔１７を有するのがよい。なお、この棚受け金具１０には、上側水平辺部１５、及び／又は下側水平辺部１６に、棚板１８を釘やねじ等の留め具１９で取り付けるための複数個の留め具取付用孔１７ａを有している。
【００１６】
図２に示すように、この棚受け金具１０を用いて形成される棚は、先ず、側壁１１の壁面１３に棚受け金具１０の垂直辺部１４を当接させ、複数個の留め具取付用孔１７に留め具１９を挿通させながら側壁１１に取り付けている。次に、棚受け金具１０の上側水平辺部１５と、下側水平辺部１６の間には、棚板１８を差込んで、上側水平辺部１５と、下側水平辺部１６で棚板１８を狭持させている。そして、更に、棚板１８は、上側水平辺部１５、及び／又は下側水平辺部１６の複数個の留め具取付用孔１７ａに留め具１９を挿通させながら棚受け金具１０に取り付けている。
【００１７】
上記のようにして形成された棚は、コーナー部１２を有する側壁１１の少なくとも２面の壁面１３に、棚受け金具１０の少なくとも２辺の垂直辺部１４が取り付けられるので、棚の耐荷重を大きくすることができると共に、上側水平辺部１５と、下側水平辺部１６の間に設けられた留め具１９を棚板１８で完全に隠してしまうので外観上の美観を更に向上させることができる。
【００１８】
次に、図３（Ａ）、（Ｂ）、図４を参照しながら、本考案の一実施の形態に係る棚受け金具１０の変形例の棚受け金具１０ａを説明する。
図３（Ａ）、（Ｂ）に示すように、棚受け金具１０ａは、棚受け金具１０の場合と同様に、例えば、建物内部の側壁１１に平面視してＬ字型形状、又はコ字型形状からなるコーナー部１２（図３（Ａ）、（Ｂ）ではコ字型形状で図示）を有し、このコーナー部１２の壁面１３に棚板１８（図４参照）を固定する際に使用されている。この棚受け金具１０ａは、全体が一定の断面形状で長手方向に連続した形状をなし、Ｌ字型形状のコーナー部１２の２面の壁面１３に当接させて取り付けるためのＬ字型に折り曲げられた２辺の垂直辺部１４ａを有している。あるいは、この棚受け金具１０ａは、全体が一定の断面形状で長手方向に連続した形状をなし、コ字型形状のコーナー部１２の少なくとも２面の壁面１３に当接させて取り付けるためのＬ字型に折り曲げられた２辺の垂直辺部１４ａ、又はコ字型に折り曲げられた３辺の垂直辺部１４ａを有している。また、棚受け金具１０ａは、この垂直辺部１４ａと共に、垂直辺部１４ａの上、下間の途中から平行してそれぞれが水平方向に連続して突出して形成される上側水平辺部１５と、下側水平辺部１６を有している。棚受け金具１０ａは、この上側水平辺部１５と、下側水平辺部１６によって、棚板１７の少なくとも２辺の側辺部が狭持できるようになっている。なお、棚受け金具１０ａは、棚受け金具１０の場合と同様に、作製されるための材料が特に限定されるものではないが、例えば、アルミニウムや、ステンレス、真鍮等の金属や、例えば、硬質プラスチック等のプラスチック等を用いることができる。
【００１９】
この棚受け金具１０ａには、垂直辺部１４ａの上、下間の途中から突出して形成される上側水平辺部１５と、下側水平辺部１６の外側のそれぞれに延設された部分の垂直辺部１４ａに、側壁１１の壁面１３に釘やねじ等の留め具１９（図４参照）で取り付けるための複数個の留め具取付用孔１７ｂを有するのがよい。なお、この棚受け金具１０ａには、棚受け金具１０の場合と同様に、上側水平辺部１５、及び／又は下側水平辺部１６に、棚板１８を釘やねじ等の留め具１９で取り付けるための複数個の留め具取付用孔１７ａを有している。
【００２０】
図４に示すように、この棚受け金具１０ａを用いて形成される棚は、棚受け金具１０を用いる場合と同様に、先ず、側壁１１の壁面１３に棚受け金具１０ａの垂直辺部１４ａを当接させ、上側水平辺部１５と、下側水平辺部１６の外側のそれぞれの延設された部分の垂直辺部１４ａに設けられた複数個の留め具取付用孔１７ｂに留め具１９を挿通させながら側壁１１に取り付けている。次に、棚受け金具１０の場合と同様に、棚受け金具１０ａの上側水平辺部１５と、下側水平辺部１６の間には、棚板１８を差込んで、上側水平辺部１５と、下側水平辺部１６で棚板１８を狭持させている。そして、更に、棚板１８は、上側水平辺部１５、及び／又は下側水平辺部１６の複数個の留め具取付用孔１７ａに留め具１９を挿通させながら棚受け金具１０ａに取り付けている。
【００２１】
あるいは、棚受け金具１０ａを用いて形成される棚は、先ず、棚受け金具１０ａの上側水平辺部１５と、下側水平辺部１６の間に、棚板１８を差込んで、上側水平辺部１５と、下側水平辺部１６で棚板１８を狭持させている。そして、更に、棚板１８は、上側水平辺部１５、及び／又は下側水平辺部１６の複数個の留め具取付用孔１７ａに留め具１９を挿通させながら棚受け金具１０ａに取り付けている。次に、棚板１８が取り付けられた棚受け金具１０ａは、側壁１１の壁面１３に棚受け金具１０ａの垂直辺部１４ａを当接させ、上側水平辺部１５と、下側水平辺部１６の外側のそれぞれの延設された部分の垂直辺部１４ａに設けられた複数個の留め具取付用孔１７ｂに、留め具１９を挿通させながら側壁１１に取り付けている。
【００２２】
上記のようにして形成された棚は、棚受け金具１０を用いる場合と同様に、コーナー部１２を有する側壁１１の少なくとも２面の壁面１３に、棚受け金具１０ａの少なくとも２辺の垂直辺部１４ａが取り付けられるので、棚の耐荷重を大きくすることができる。また、棚受け金具１０ａに棚板１８を取り付けてから棚受け金具１０ａを側壁１１に取り付ける場合には、棚受け金具１０の場合のように、棚受け金具１０を側壁１１に取り付けてから棚板１８を取り付ける時に、コーナー部１２に様々な障害物によって取り付けが不可能となるようなことの発生を防止することができ、障害物を気にすることなく棚を形成することができる。
【産業上の利用可能性】
【００２３】
本考案の棚受け金具は、美観に優れ、簡単な形態で容易に取り付けられる安価な棚を提供することができる棚受け金具に適用できる。
【図面の簡単な説明】
【００２４】
【図１】（Ａ）、（Ｂ）はそれぞれ本考案の一実施の形態に係る棚受け金具の平面図、Ａ−Ａ’線拡大縦断面図である。
【図２】同棚受け金具を用いた棚板の取り付け状態の説明図である。
【図３】（Ａ）、（Ｂ）はそれぞれ同棚受け金具の変形例の平面図、Ｂ−Ｂ’線拡大縦断面図である。
【図４】同棚受け金具の変形例を用いた棚板の取り付け状態の説明図である。
【図５】（Ａ）、（Ｂ）はそれぞれ従来の棚受け金具の正面図、側面図である。
【図６】従来の棚受け金具を用いた棚板の取り付け状態の説明図である。
【符号の説明】
【００２５】
１０、１０ａ：棚受け金具、１１：側壁、１２：コーナー部、１３：壁面、１４、１４ａ：垂直辺部、１５：上側水平辺部、１６：下側水平辺部、１７、１７ａ、１７ｂ：留め具取付用孔、１８：棚板、１９：留め具
【図１】
0003119031.tif 000003
【図２】
0003119031.tif 000004
【図３】
0003119031.tif 000005
【図４】
0003119031.tif 000006
【図５】
0003119031.tif 000007
【図６】
0003119031.tif 000008